【手続補正書】
【提出日】平成24年2月17日(2012.2.17)
【手続補正１】
【補正対象書類名】明細書
【補正対象項目名】０００１
【補正方法】変更
【補正の内容】
【０００１】
本発明は、画像処理装置、サーバ装置、それらの制御方法、及びプログラムに関する。
【手続補正２】
【補正対象書類名】明細書
【補正対象項目名】００１３
【補正方法】変更
【補正の内容】
【００１３】
上記目的を達成するために、本発明の画像処理装置は、画像処理装置であって、外部装置に情報を送信することを指示するための第１の指示手段を含む画面情報を、前記外部装置に対して要求する要求手段と、前記要求手段による要求に対する前記外部装置からの応答に基づいて操作画面を表示する表示手段と、前記表示手段が前記操作画面を表示する際に、前記画像処理装置に現在設定されている設定情報を前記外部装置に送信することを指示するための第２の指示手段をユーザに提示する提示手段と、を備えることを特徴とする。
【手続補正３】
【補正対象書類名】明細書
【補正対象項目名】００１４
【補正方法】変更
【補正の内容】
【００１４】
また、本発明のサーバ装置は、サーバ装置であって、画像処理装置から、前記サーバ装置に情報を送信することを指示するための第１の指示手段を含む画面情報の要求を受け付ける受付手段と、前記受付手段が前記要求を受け付けた場合に、当該要求を行った画像処理装置が特定の画像処理装置であるか否かを判定する判定手段と、前記判定手段による判定の結果、前記要求を行った画像処理装置が特定の画像処理装置であると判定された場合に、前記画像処理装置の記憶手段に記憶されている情報の中からユーザにより選択された情報を前記サーバ装置に送信することを指示するための前記第１の指示手段と、前記画像処理装置に現在設定されている設定情報を読み出して前記サーバ装置に送信することを指示するための第２の指示手段とを含む操作画面を表示するための画面情報を、前記要求を行った画像処理装置に送信する送信手段と、を備えることを特徴とする。
【手続補正４】
【補正対象書類名】特許請求の範囲
【補正対象項目名】全文
【補正方法】変更
【補正の内容】
【特許請求の範囲】
【請求項１】
画像処理装置であって、
外部装置に情報を送信することを指示するための第１の指示手段を含む画面情報を、前記外部装置に対して要求する要求手段と、
前記要求手段による要求に対する前記外部装置からの応答に基づいて操作画面を表示する表示手段と、
前記表示手段が前記操作画面を表示する際に、前記画像処理装置に現在設定されている設定情報を前記外部装置に送信することを指示するための第２の指示手段をユーザに提示する提示手段と、
を備えることを特徴とする画像処理装置。
【請求項２】
前記提示手段は、前記第１の指示手段と前記第２の指示手段の両方を含む前記操作画面を前記表示手段に表示させることを特徴とする請求項１に記載の画像処理装置。
【請求項３】
前記操作画面を表示するための画面情報を生成する生成手段を更に備え、
前記表示手段は、前記外部装置からの応答に含まれている画面情報ではなく、前記生成手段により生成された画面情報に従って前記操作画面を表示することを特徴とする請求項１または２に記載の画像処理装置。
【請求項４】
前記第２の指示手段を用いてユーザからの指示が行われた場合、前記画像処理装置に現在設定されている設定情報を読み出して前記外部装置に送信することにより、当該読み出した設定情報を前記外部装置の設定情報として設定させる設定実行手段を更に備えることを特徴とする請求項１から３のいずれか１項に記載の画像処理装置。
【請求項５】
複数の情報を記憶する記憶手段を更に備え、
前記設定実行手段は、前記第１の指示手段を用いてユーザからの指示が行われた場合、前記記憶手段に記憶されている複数の情報のうちユーザにより選択された情報を前記外部装置に送信することにより、当該選択された情報を前記外部装置の設定情報として設定させることを特徴とする請求項４に記載の画像処理装置。
【請求項６】
前記外部装置は、ウェブサーバ機能を有し、
前記表示手段は、前記外部装置から送信されるＨＴＭＬファイルを解析し、当該ＨＴＭＬファイルに従った操作画面を表示するウェブブラウザ機能を有することを特徴とする請求項１から５のいずれか１項に記載の画像処理装置。
【請求項７】
サーバ装置であって、
画像処理装置から、前記サーバ装置に情報を送信することを指示するための第１の指示手段を含む画面情報の要求を受け付ける受付手段と、
前記受付手段が前記要求を受け付けた場合に、当該要求を行った画像処理装置が特定の画像処理装置であるか否かを判定する判定手段と、
前記判定手段による判定の結果、前記要求を行った画像処理装置が特定の画像処理装置であると判定された場合に、前記画像処理装置の記憶手段に記憶されている情報の中からユーザにより選択された情報を前記サーバ装置に送信することを指示するための前記第１の指示手段と、前記画像処理装置に現在設定されている設定情報を読み出して前記サーバ装置に送信することを指示するための第２の指示手段とを含む操作画面を表示するための画面情報を、前記要求を行った画像処理装置に送信する送信手段と、
を備えることを特徴とするサーバ装置。
【請求項８】
前記第１の指示手段または前記第２の指示手段を用いたユーザからの指示に従って前記画像処理装置から送信される情報を受信し、前記サーバ装置の設定情報として設定する設定手段を更に備えることを特徴とする請求項７に記載のサーバ装置。
【請求項９】
前記画像処理装置は、ウェブブラウザ機能を有し、
前記サーバ装置は、前記画像処理装置に前記操作画面を表示するための前記画面情報としてＨＴＭＬファイルを送信するウェブサーバ機能を有することを特徴とする請求項７または８に記載のサーバ装置。
【請求項１０】
画像処理装置の制御方法であって、
外部装置に情報を送信することを指示するための第１の指示手段を含む画面情報を、前記外部装置に対して要求する要求工程と、
前記要求工程での要求に対する前記外部装置からの応答に基づいて操作画面を表示手段に表示する表示工程と、
前記表示工程で前記操作画面を表示する際に、前記画像処理装置に現在設定されている設定情報を前記外部装置に送信することを指示するための第２の指示手段をユーザに提示する提示工程と、
を備えることを特徴とする画像処理装置の制御方法。
【請求項１１】
サーバ装置の制御方法であって、
画像処理装置から、前記サーバ装置に情報を送信することを指示するための第１の指示手段を含む画面情報の要求を受け付ける受付工程と、
前記受付工程で前記要求を受け付けた場合に、当該要求を行った画像処理装置が特定の画像処理装置であるか否かを判定する判定工程と、
前記判定工程における判定の結果、前記要求を行った画像処理装置が特定の画像処理装置であると判定された場合に、前記画像処理装置の記憶手段に記憶されている情報の中からユーザにより選択された情報を前記サーバ装置に送信することを指示するための前記第１の指示手段と、前記画像処理装置に現在設定されている設定情報を読み出して前記サーバ装置に送信することを指示するための第２の指示手段とを含む操作画面を表示するための画面情報を、前記要求を行った画像処理装置に送信する送信工程と、
を備えることを特徴とするサーバ装置の制御方法。
【請求項１２】
請求項１０に記載の画像処理装置の制御方法または請求項１１に記載のサーバ装置の制御方法をコンピュータに実行させるためのプログラム。